(57)【要約】【課題】画像形成装置とくるみ製本装置とが接続される画像形成システムにおいてマニュアル製本を行う場合に、使い勝手がよく、コストアップを抑える。【解決手段】くるみ製本装置は、マニュアル製本モードでの表紙用紙の断裁量を決定する際に、画像形成装置から表紙用紙のサイズを取得し、取得した表紙用紙のサイズから本身用紙のサイズを推定し、推定した本身用紙のサイズ、セットされた本身の厚み及び取得した表紙用紙のサイズから表紙用紙の断裁量を決定する。【選択図】図６
2008007268.tif 000002
【特許請求の範囲】
【請求項１】
本身用紙に画像形成を行う画像形成装置と、画像形成装置から搬入される本身用紙の束を表紙用紙でコの字状にくるんで製本を行う製本装置と、からなる画像形成システムにおいて、
本身用紙の束を手動で製本装置にセットすることにより製本を行うマニュアル製本モードの実行が可能であり、
前記画像形成装置は、
表紙用紙のサイズを記憶する記憶部を有し、
前記製本装置は、
マニュアル製本モードの実行を指示する操作部と、
マニュアル製本の際に本身用紙の束がセットされる本身セット部と、
本身セット部にセットされた本身用紙の束の厚みを検出する本身厚み検出部と、
操作部によるマニュアル製本モードの実行の指示に基づいて、前記画像形成装置の記憶部から表紙用紙のサイズを取得し、取得した表紙用紙のサイズから本身用紙のサイズを推定し、推定した本身用紙のサイズ、本身厚み検出部により検出された本身用紙の束の厚み、及び取得した表紙用紙のサイズから表紙用紙の断裁量を決定する断裁量決定手段と、
断裁量決定手段により決定された断裁量に基づいて表紙用紙を断裁する断裁部と、
本身セット部にセットされた本身用紙の束を断裁部により断裁された表紙用紙でコの字状にくるんで製本を行う製本部と、を有する、
ことを特徴とする画像形成システム。
【請求項２】
前記製本装置は、表紙用紙の幅に対応して本身用紙のサイズを記憶する記憶テーブルを有し、
前記断裁量決定手段は、前記画像形成装置の記憶部から表紙用紙の幅を取得し、取得した表紙用紙の幅に前記記憶テーブルを適用することにより本身用紙のサイズを推定することを特徴とする請求項１に記載の画像形成システム。
【請求項３】
前記操作部は、前記本身セット部に本身用紙の束のセットが完了したことを指示するセット完了指示部を有し、
前記本身セット部に本身用紙の束がセットされていない状態でセット完了指示部によりセット完了が指示された場合には、セット完了を許可しないことを特徴とする請求項１又は２に記載の画像形成システム。
【請求項４】
前記セット完了指示部に対応してセット完了表示部を有し、
セット完了表示部は、前記本身セット部に本身用紙の束がセットされていない状態を表示する第１の表示状態、前記本身セット部に本身用紙の束がセットされた状態を表示する第２の表示状態、及びセット完了状態を表示する第３の表示状態、の表示が可能であり、
第２の表示状態において前記セット完了指示部によりセット完了が指示された場合にのみ第３の表示状態に移行されることを特徴とする請求項３に記載の画像形成システム。
【請求項５】
前記操作部によりマニュアル製本モードの実行が指示され、マニュアル製本動作が開始された場合には、マニュアル製本動作が終了するまで前記画像形成装置の画像形成動作を禁止することを特徴とする請求項１〜４の何れか一項に記載の画像形成システム。
【発明の詳細な説明】
【技術分野】
【０００１】
本発明は、画像形成システムに関する。
【背景技術】
【０００２】
画像形成装置と製本装置とから構成される画像形成システムが知られており、例えば、特許文献１には、冊子の中身となる本身用紙の束（単に、本身ということもある）を１枚の表紙用紙でコの字状にくるみ、本身用紙の束の背部を表紙用紙に糊付けすることにより冊子を作製する所謂くるみ製本を行う画像形成システムが記載されている。
【０００３】
特許文献１においては、本身用紙及び表紙用紙を画像形成装置から供給してくるみ製本装置でくるみ製本を行う場合の他、くるみ製本装置に本身用紙及び表紙用紙をユーザが直接セットし製本を行うオフライン製本（マニュアル製本ともいう）も可能であることが記載されている。
【特許文献１】特開２００４−２０９８７０号公報
【発明の開示】
【発明が解決しようとする課題】
【０００４】
特許文献１には、マニュアル製本を行う際の本身用紙及び表紙用紙のセット位置に関する記載はあるものの、これ以外の例えば操作方法や制御等については特に記載されていない。
【０００５】
くるみ製本装置で製本を行う場合には、表紙用紙のサイズは、幅が本身用紙の幅と同一で、長さが（２×本身用紙の長さ＋本身の厚み）である必要がある。ここで、長さ方向は本身用紙をくるむ方向に平行で、幅方向は当該くるむ方向に垂直な方向である。
【０００６】
表紙用紙としては、いろいろな厚みの本身をくるむことができるように、余裕をもった長さのものが用いられる。そして、表紙用紙の長さは、本身の厚みに応じて後で断裁して調整される。必要な長さで断裁するためには、断裁前の表紙用紙の長さが必要となる。
【０００７】
これらのことから、くるみ製本を行う場合には、本身用紙のサイズ、本身の厚み、及び表紙用紙のサイズが必要となる。
【０００８】
画像形成装置とくるみ製本装置とが接続される画像形成システムにおいて、自動製本を行う場合には、画像形成装置で設定された本身用紙サイズ及び表紙用紙サイズ、並びにくるみ製本装置で測定した本身の厚み、に基づいて製本を行うことが可能である。
【０００９】
一方、当該画像形成システムにおいてマニュアル製本を行う場合には、通常少なくとも本身はユーザによりくるみ製本装置にセットされることになるので、本身用紙のサイズをくるみ製本装置に入力する必要がある。
【００１０】
この場合、画像形成装置の操作パネルから本身用紙のサイズを入力することも可能であるが、くるみ製本装置が接続される画像形成装置は高速で大型であることが一般的であるので、本身をセットするくるみ製本装置と画像形成装置の操作パネルとは距離が離れている。そのため、マニュアル製本の際にユーザが移動しなければならなくなり、使い勝手が悪い。
【００１１】
この場合、くるみ製本装置にマニュアル製本用の操作パネルを設けることが考えられるが、本身用紙のサイズを入力する数字キーや表示パネルが必要となり、コストアップになってしまう。
【００１２】
本発明は、以上のような問題に鑑みてなされたものであり、画像形成装置とくるみ製本装置とが接続される画像形成システムにおいてマニュアル製本を行う場合に、使い勝手がよく、コストアップを抑えた画像形成システムを提供することを目的としている。
【課題を解決するための手段】
【００１３】
本発明の画像形成システムは、本身用紙に画像形成を行う画像形成装置と、画像形成装置から搬入される本身用紙の束を表紙用紙でコの字状にくるんで製本を行う製本装置と、からなる画像形成システムにおいて、本身用紙の束を手動で製本装置にセットすることにより製本を行うマニュアル製本モードの実行が可能であり、前記画像形成装置は、表紙用紙のサイズを記憶する記憶部を有し、前記製本装置は、マニュアル製本モードの実行を指示する操作部と、マニュアル製本の際に本身用紙の束がセットされる本身セット部と、本身セット部にセットされた本身用紙の束の厚みを検出する本身厚み検出部と、操作部によるマニュアル製本モードの実行の指示に基づいて、前記画像形成装置の記憶部から表紙用紙のサイズを取得し、取得した表紙用紙のサイズから本身用紙のサイズを推定し、推定した本身用紙のサイズ、本身厚み検出部により検出された本身用紙の束の厚み、及び取得した表紙用紙のサイズから表紙用紙の断裁量を決定する断裁量決定手段と、断裁量決定手段により決定された断裁量に基づいて表紙用紙を断裁する断裁部と、本身セット部にセットされた本身用紙の束を断裁部により断裁された表紙用紙でコの字状にくるんで製本を行う製本部と、を有する、ことを特徴としている。
【発明の効果】
【００１４】
本発明によれば、製本装置に操作部を設けたので、マニュアル製本の際にユーザが画像形成装置とくるみ製本装置との間を移動しなから操作を行う必要がなく、使い勝手が向上する。また、当該操作部は、数字キーや表示パネルを必要としない簡易なものであるので、コストアップを抑えることができる。
【発明を実施するための最良の形態】
【００１５】
（システム構成）
図１は、本実施形態に係る画像形成システムのシステム構成図である。画像形成システムは、画像形成装置１００及び製本装置２００から構成されている。
【００１６】
画像形成装置１００は、電子写真方式により用紙に画像を形成するものであり、画像形成部１１０、原稿搬送部１２０、及び画像読取部１３０を有する。
【００１７】
画像形成部１１０において、ドラム状の感光体１１１の周囲に帯電装置１１２、露光装置１１３、現像装置１１４、転写装置１１５、分離装置１１６及びクリーニング装置１１７が配置されており、帯電、露光、現像及び転写の各プロセスが実行され、本身用紙Ｓ１又は表紙用紙Ｓ２にトナー像が形成される。
【００１８】
製本された場合に表紙用紙Ｓ２にくるまれる本身用紙Ｓ１は、２つの給紙カセット１４１に収納されており、表紙用紙Ｓ２は、給紙カセット１４２と製本装置２００の表紙給紙部２７０に収納されている。給紙カセット１４１及び給紙カセット１４２により給紙部１４０を構成している。表紙用紙Ｓ２に画像を形成する場合は給紙カセット１４２から給紙される。
【００１９】
給紙カセット１４１、１４２から給紙された本身用紙Ｓ１又は表紙用紙Ｓ２は、１枚ずつ画像形成部１１０へ搬送される。トナー像が転写された本身用紙Ｓ１又は表紙用紙Ｓ２は定着装置１５０を通過して定着処理される。定着処理された本身用紙Ｓ１又は表紙用紙Ｓ２は、画像形成装置１００の外へ排出される。
【００２０】
製本装置２００は、画像形成装置１００から送り込まれた本身用紙Ｓ１を複数枚束ねて本身とし、本身の背部に表紙用紙Ｓ２を接合し、表紙用紙Ｓ２により本身をコの字状にくるんで冊子を作製する。
【００２１】
製本装置２００は、搬送部２１０、サブトレイ２２０、サブコンパイル部２３０、クランプ部２４０、糊塗布部２５０、角背成形部２６０、表紙給紙部２７０、表紙断裁部２７５、冊子収容部２８０、等を有する。
【００２２】
画像形成装置１００から製本装置２００へ搬送されてきた本身用紙Ｓ１は、搬送部２１０に設けられた切り替えゲート２１１により、排出路２１２を経てサブトレイ２２０に排出されるか又はサブコンパイル部２３０に搬送される。製本しない場合は、本身用紙Ｓ１はサブトレイ２２０に排出される。
【００２３】
製本する場合は、本身用紙Ｓ１は、搬送路２１３を経てサブコンパイル部２３０に向けて搬送される。サブコンパイル部２３０に搬送された本身用紙Ｓ１は、スイッチバックした後、クランプ部２４０に収容される。クランプ部２４０には、設定枚数の本身用紙Ｓ１が順次収容され、本身が形成される。クランプ部２４０内の本身は、クランプされた後、回動し、ほぼ垂直状態に保持される。その後、本身の背部である下面に、糊塗布部２５０により接着剤が塗布される。
【００２４】
一方、表紙用紙Ｓ２は、給紙カセット１４２又は表紙給紙部２７０から表紙断裁部２７５に搬送され、本身用紙のサイズ、本身の厚み、及び表紙用紙のサイズに基づいて決められた位置で断裁される。断裁後、表紙用紙Ｓ２は、角背成形部２６０に搬送され所定位置で停止する。その後、角背成形部２６０が上昇することにより、表紙用紙Ｓ２は、接着剤の塗布された本身と接触して本身に接着されるとともに、本身の形状に沿って折り曲げられ角背が形成される。これにより、本身が表紙用紙Ｓ２でくるまれ、冊子が作製される。作製された冊子は、冊子収容部２８０に排出される。
【００２５】
マニュアル製本の場合は、ユーザは、表紙用紙を表紙給紙部２７０にセットし、本身をクランプ部２４０にセットする。表紙用紙は、給紙カセット１４２にセットすることも可能である。
【００２６】
クランプ部２４０は、セットされた本身に対して、下面を支持する支持板２４１、先端を規制する先端規制板２４２、側端を整合する整合板２４３、本身の上面を押しつけ固定するクランプ２４４、等から構成されており、製本装置２００の前面から手前に引き出し可能となっている。
【００２７】
本身をクランプ部２４０にセットする際には、以下の手順により行う。
【００２８】
まず、製本装置２００の前扉（不図示）を開け、クランプ部２４０のロックレバー（不図示）を解除し、クランプ部２４０を製本装置２００から手前に引き出す。
【００２９】
次に、引き出したクランプ部２４０の上方から本身を先端規制板２４２に向けて挿入し支持板２４１上に載置する。
【００３０】
次に、整合板２４３を移動させて本身の側端に当接させ、本身の側部方向への移動を制限する。このとき、引き出したクランプ部２４０を製本装置２００に戻した際に衝撃等により本身を構成する用紙束が乱れないように、整合板２４３の移動機構に電磁ブレーキを介在させ、整合板２４３が自由に動かないようにブレーキをかける。
【００３１】
最後に、引き出したクランプ部２４０を製本装置２００内に戻しロックレバーによりロックした後、前扉を閉める。
【００３２】
（制御構成）
図２は、本実施形態に係る画像形成システムの制御構成図である。本発明にあまり関係しない制御対象については省略している。
【００３３】
画像形成装置１００は、プログラムに従って画像形成装置１００の各種制御を実行するＣＰＵ１６０を中心に、バス１６１により、ＲＯＭ１６２、ＲＡＭ１６３、ＨＤＤ１６４、ＥＥＰＲＯＭ１６５、画像形成部１１０、給紙部１４０、操作表示部１６６及び通信部１６７が相互に接続されている。
【００３４】
ＲＯＭ１６２は、各種プログラムやデータを記憶しており、ＣＰＵ１６０がこれらプログラムやデータを利用して画像形成装置１００の制御を実行する。
【００３５】
ＲＡＭ１６３は、ＣＰＵ１６０によってワークエリアとして利用され、ＣＰＵ１６０が制御を実行する際に必要なプログラムやデータを一時的に記憶する。
【００３６】
画像形成部１１０は、入力画像データに基づいて用紙上に画像形成を行う。入力画像データは、図１の原稿搬送部１２０により原稿を搬送しながら画像読取部１３０により画像を読み取ることで入力される。あるいは、パーソナルコンピュータから不図示の通信回線を介して入力される。
【００３７】
ＨＤＤ１６４は、入力画像データ等を記憶する。
【００３８】
ＥＥＰＲＯＭ１６５は、給紙部１４０及び表紙給紙部２７０に収容されている各用紙のサイズ等を記憶する。マニュアル製本の際の表紙用紙のサイズを記憶している。
【００３９】
給紙部１４０は、給紙カセット１４１に収容されている本身用紙又は給紙カセット１４２に収容されている表紙用紙を画像形成部１１０に向けて搬送する。
【００４０】
操作表示部１６６は、タッチパネル等で構成され、各種操作画面の表示や指示入力等を行う。
【００４１】
通信部１６７は、製本装置２００に接続され、製本装置２００との間で各種データを送受信する。
【００４２】
製本装置２００は、プログラムに従って製本装置２００の各種制御を実行するＣＰＵ２９０を中心に、バス２９１により、ＲＯＭ２９２、ＲＡＭ２９３、操作表示部２９４、前扉センサ２９５、クランプ部２４０、糊塗布部２５０、角背成形部２６０、表紙給紙部２７０、表紙断裁部２７５及び通信部２９６が相互に接続されている。
【００４３】
ＲＯＭ２９２は、各種プログラムやデータを記憶しており、ＣＰＵ２９０がこれらプログラムやデータを利用して製本装置２００の制御を実行する。
【００４４】
ＲＡＭ２９３は、ＣＰＵ２９０によってワークエリアとして利用され、ＣＰＵ２９０が制御を実行する際に必要なプログラムやデータを一時的に記憶する。
【００４５】
操作表示部２９４は、操作ボタン及びＬＥＤで構成され、マニュアル製本の指示入力やマニュアル製本時の状態表示等を行う。
【００４６】
前扉センサ２９５は、前扉の開閉状態を検出する。
【００４７】
クランプ部２４０は、クランプ２４４、電磁ブレーキ２４５、着脱センサ２４６、用紙検出センサ２４７、厚みセンサ２４８、等の制御対象を有している。電磁ブレーキ２４５は、図１の整合板２４３が自由に移動しないようにブレーキを掛ける。着脱センサ２４６は、クランプ部２４０の製本装置２００に対する着脱状態を検出する。用紙センサ２４７は、クランプ部２４０に本身がセットされているか否かを検出する。厚みセンサ２４８は、クランプ部２４０にセットされている本身の厚みを検出する。例えば、本身をクランプした際のクランプ２４４の位置状態を検出することにより行う。本身が厚ければ、クランプ２４４の先端は支持板２４１から離れた位置になり、本身が薄ければ、クランプ２４４の先端は支持板２４１に近い位置になる。他にも、クランプ時におけるクランプ２４４のホームポジションからの移動量を求めることによっても検出することが可能である。
【００４８】
糊塗布部２５０は、本身の背部に糊を塗布する。
【００４９】
表紙給紙部２７０は、収納されている表紙用紙Ｓ２を表紙断裁部２７５に向けて搬送する。また、表紙給紙部２７０は、表紙用紙の有無を検出する用紙センサ２７１を有している。
【００５０】
表紙断裁部２７５は、表紙給紙部２７０から搬送されてきた表紙用紙Ｓ２を本身用紙のサイズ、本身の厚み、及び表紙用紙のサイズに基づいて決められた位置で断裁を行う。
【００５１】
角背成形部２６０は、表紙断裁部２７５により断裁された表紙用紙Ｓ２を所定位置に停止させた後上昇する。これにより、糊塗布された本身に表紙用紙Ｓ２が貼り付けられる。また、本身の形状に沿って表紙用紙Ｓ２を折り曲げ、角背を形成する。
【００５２】
通信部２９６は、画像形成装置１００に接続され、画像形成装置１００との間で各種データを送受信する。
【００５３】
（製本装置の操作表示部）
図３は、本実施形態に係る製本装置の操作表示部２９４の概略図である。「マニュアル製本」、「セット完了」、「製本開始」の各操作ボタンを設けられるとともに、各ボタンに対応して、「マニュアル製本ＬＥＤ」、「セット完了ＬＥＤ」、「製本開始ＬＥＤ（橙、緑）」の各表示ランプが設けられている。「製本開始ＬＥＤ（橙、緑）」は、２色ＬＥＤである。
【００５４】
「マニュアル製本」ボタンが押されると、マニュアル製本モードが実行される。このとき、「マニュアル製本ＬＥＤ」が点灯する。また、「製本開始ＬＥＤ（橙、緑）」は、橙色に点灯する。
【００５５】
クランプ部２４０に本身がセットされると、用紙センサ２４７により検出され、「セット完了ＬＥＤ」が点滅する。その後、「セット完了」ボタンが押されると、電磁ブレーキ２４５がオンになり整合板２４３が自由に移動しないようにブレーキが掛かる。また、このとき、「セット完了ＬＥＤ」が点滅から点灯に変化する。
【００５６】
「セット完了ＬＥＤ」が点灯している状態で前扉センサ２９５により前扉がクローズされたことが検出されると、「製本開始ＬＥＤ（橙、緑）」は橙色から緑色に変化し点灯する。この状態で「製本開始」ボタンが押されると、マニュアル製本が開始される。このとき、「製本開始ＬＥＤ（橙、緑）」は、消灯する。
【００５７】
マニュアル製本が完了すると、「マニュアル製本ＬＥＤ」及び「セット完了ＬＥＤ」は、消灯する。
【００５８】
（マニュアル製本処理）
図４は、本実施形態に係るマニュアル製本処理の制御フロー図である。一例であり、これに限定されない。マニュアル製本処理は、製本装置２００のＣＰＵ２９０が処理を実行することにより行われる。前提として、マニュアル製本に用いる表紙用紙は、既に表紙給紙部２７０に収容されているとともに、当該収容されている表紙用紙のサイズは、画像形成装置１００の操作表示部１６６により設定され、ＥＥＰＲＯＭ１６５に記憶されているものとする。もし、表紙給紙部２７０に収容されている表紙用紙の幅が、マニュアル製本しようとする本身用紙の幅に適合していない場合には、本身用紙の幅に適合する幅の表紙用紙をセットし直し、画像形成装置１００の操作表示部１６６により表紙給紙部２７０の表紙用紙のサイズを設定し直しておく。
【００５９】
まず、ＣＰＵ２９０は、操作表示部２９４により「マニュアル製本」ボタンが押されたか否かを判断する（ステップＳ１）。操作表示部２９４により「マニュアル製本」ボタンが押されたと判断すると（ステップＳ１；Ｙｅｓ）、ＣＰＵ２９０は、画像形成装置１００で画像形成中であるか否かを判断する（ステップＳ２）。操作表示部２９４により「マニュアル製本」ボタンが押されていないと判断すると（ステップＳ１；Ｎｏ）、ＣＰＵ２９０は、フローを終了する。
【００６０】
ステップＳ２において、画像形成装置１００で画像形成中であると判断すると（ステップＳ２；Ｙｅｓ）、ＣＰＵ２９０は、フローを終了する。画像形成装置１００で画像形成中でないと判断すると（ステップＳ２；Ｎｏ）、ＣＰＵ２９０は、通信部２９６を介して、画像形成装置１００に画像形成動作の禁止を通知する（ステップＳ３）。これにより、マニュアル製本モード中における画像形成動作が禁止される。
【００６１】
次に、ＣＰＵ２９０は、操作表示部２９４の「マニュアル製本ＬＥＤ」及び「製本開始ＬＥＤ（橙）」を点灯させる（ステップＳ４）。
【００６２】
次に、ＣＰＵ２９０は、前扉センサ２９５により前扉がオープンされたか否かを判断する（ステップＳ５）。前扉がオープンされたと判断すると（ステップＳ５；Ｙｅｓ）、ＣＰＵ２９０は、クランプ部２４４に本身がセットされたか否かを判断する（ステップＳ６）。前扉がオープンされていないと判断すると（ステップＳ５；Ｎｏ）、ＣＰＵ２９０は、前扉がオープンされるまで待機する。
【００６３】
ステップＳ６において、クランプ部２４４に本身がセットされたと判断すると（ステップＳ６；Ｙｅｓ）、ＣＰＵ２９０は、「セット完了ＬＥＤ」を点滅させる（ステップＳ７）。これにより、ユーザはクランプ部２４４に本身がセットされたことを認識することができる。クランプ部２４４に本身がセットされていないと判断すると（ステップＳ６；Ｎｏ）、ＣＰＵ２９０は、クランプ部２４４に本身がセットされるまで待機する。
【００６４】
次に、ステップＳ８において、ＣＰＵ２９０は、「セット完了」ボタンが押されたか否かを判断する。「セット完了」ボタンが押されたと判断すると（ステップＳ８；Ｙｅｓ）、ＣＰＵ２９０は、「セット完了ＬＥＤ」を点灯させるとともに（ステップＳ９）、整合板２４３の電磁ブレーキ２４５をオンする（ステップＳ１０）。
【００６５】
仮に、クランプ部２４４に本身がセットされていない状態（「セット完了ＬＥＤ」が消灯している状態）で、「セット完了」ボタンが押されたとしても、ステップＳ９には移行しないので、「セット完了ＬＥＤ」は点灯せず、「セット完了」状態にはならない。このため、セット不良で本身がきちんとセットされていないにもかかわらず「セット完了」状態になることがなく、その後製本の際にトラブルが生じることが回避される。
【００６６】
また、例えば、ユーザがクランプ部２４４に本身をセットしたつもりで、「セット完了」ボタンを押した際に、実は本身がきちんとセットされておらず「セット完了ＬＥＤ」が点灯しない場合には、ユーザはなぜセット完了にならないのかがわからない。この場合、本実施形態のように、クランプ部２４４に本身がセットされたときに「セット完了ＬＥＤ」が点滅するようにしておけば、ユーザは「セット完了ＬＥＤ」が点滅していないことを確認して本身がきちんとセットされていないことが認識でき、原因をすぐに特定することができる。
【００６７】
次に、ＣＰＵ２９０は、前扉センサ２９５により前扉がクローズされたか否かを判断する（ステップＳ１１）。前扉がクローズされたと判断すると（ステップＳ１１；Ｙｅｓ）、ＣＰＵ２９０は、「製本開始ＬＥＤ（緑）」を点灯させる（ステップＳ１２）。前扉がクローズされていないと判断すると（ステップＳ１１；Ｎｏ）、ＣＰＵ２９０は、前扉がクローズされるまで待機する。
【００６８】
次に、ステップＳ１３において、ＣＰＵ２９０は、「製本開始」ボタンが押されたか否かを判断する（ステップＳ１３）。「製本開始」ボタンが押されたと判断すると（ステップＳ１３；Ｙｅｓ）、ＣＰＵ２９０は、「製本開始ＬＥＤ（緑）」を消灯させる（ステップＳ１４）。「製本開始」ボタンが押されていないと判断すると（ステップＳ１３；Ｎｏ）、ＣＰＵ２９０は、「製本開始」ボタンが押されるまで待機する。
【００６９】
次に、ステップＳ１５において、ＣＰＵ２９０は、製本動作を行う。製本動作については、後述する。
【００７０】
次に、ＣＰＵ２９０は、製本完了したか否かを判断する（ステップＳ１６）。製本完了したと判断すると（ステップＳ１６；Ｙｅｓ）、ＣＰＵ２９０は、「マニュアル製本ＬＥＤ」及び「セット完了ＬＥＤ」を消灯させ（ステップＳ１７）、フローを終了する。製本完了していないと判断すると（ステップＳ１６；Ｎｏ）、ＣＰＵ２９０は、製本完了するまで待機する。
【００７１】
このように、本実施形態では、製本装置２００に操作表示部２９４を設けたので、マニュアル製本の際にユーザが画像形成装置とくるみ製本装置との間を移動しなから操作を行う必要がなく、使い勝手が向上する。
【００７２】
図５は、ステップ１５における製本処理の制御フロー図である。まず、ＣＰＵ２９０は、クランプ２４４を駆動し、支持板２４１との間で本身をクランプする（ステップＳ１５１）。この際、ＣＰＵ２９０は、厚みセンサ２４８によりクランプ２４４の位置状態を検出し本身の厚みを算出する（ステップＳ１５２）。
【００７３】
次に、ＣＰＵ２９０は、糊塗布部２５０により本身の背部に糊塗布を行う（ステップＳ１５３）。
【００７４】
次に、ＣＰＵ２９０は、表紙給紙部２７０により表紙用紙を給紙する（ステップＳ１５４）。
【００７５】
次に、ＣＰＵ２９０は、表紙断裁部２７５により給紙された表紙用紙を断裁する（ステップＳ１５５）。図６に、ステップＳ１５５の表紙用紙の断裁処理の制御フロー図を示す。
【００７６】
まず、ＣＰＵ２９０は、画像形成装置１００のＥＥＰＲＯＭ１６５に記憶されている表紙給紙部２７０に収容されている表紙用紙のサイズ（幅、長さ）を、通信部２９６を介して取得する（ステップＳ１５５１）。
【００７７】
次に、ＣＰＵ２９０は、取得した表紙用紙の幅から、クランプ部２４０にセットされた本身用紙のサイズを推定し、本身用紙の長さを推定する（ステップＳ１５５２）。例えば、表１に示すように、表紙用紙の幅に対応して本身サイズ、本身用紙の長さがＲＯＭ２９２にテーブルとして記憶されており、このテーブルを用いて本身用紙のサイズを推定し、本身用紙の長さを推定する。例えば、取得した表紙用紙の幅が、２９７±２ｍｍの範囲内にあれば、クランプ部２４０には２９７ｍｍ幅のＡ４サイズの本身用紙がセットされており、本身用紙の長さはＡ４長さの２１０ｍｍであると推定する。
【００７８】
このように、本実施形態では、画像形成装置１００から取得した表紙用紙の幅から本身用紙のサイズを推定するので、製本装置２００に設けたマニュアル製本用の操作表示部２９４から本身用紙のサイズを入力する必要がなくなり、操作表示部２９４に数字キーや表示パネルが不要となる。このため、マニュアル製本用に操作表示部を設けた場合のコストアップを極力抑えることができる。
【００７９】
【表１】
2008007268.tif 000003
【００８０】
次に、ＣＰＵ２９０は、ステップＳ１５５１で取得した表紙用紙のサイズ、ステップＳ１５５２で取得した本身用紙のサイズ、ステップＳ１５２で算出した本身用紙の厚みから表紙用紙の断裁量を決定する（ステップＳ１５５３）。断裁後の表紙用紙として必要な長さは、（２×本身用紙の長さ＋本身の厚み）である。従って、（元の表紙用紙の長さ）−（本身用紙の長さ×２＋本身の厚み）＝断裁量、となるように断裁量が決定される。
【００８１】
次に、ＣＰＵ２９０は、決定された断裁量に基づいて表紙用紙の断裁を行う（ステップＳ１５５４）。
【００８２】
図５に戻り、ステップＳ１５６において、ＣＰＵ２９０は、表紙用紙の位置決め、つまり断裁後の表紙用紙の角背成形部２６０上での停止位置を決定し、断裁後の表紙用紙を停止させる。糊塗布された本身の背部の中央に断裁後の表紙用紙の中央が位置するように停止位置を決定する。例えば、角背成形部２６０上での表紙用紙の搬送をステッピングモータにより行い、角背成形部２６０に搬入されてくる断裁後の表紙用紙の先端をセンサにより検知し、検知後の表紙用紙の搬送量を、ステッピングモータのパルス数に基づいて制御することにより実現することができる。
【００８３】
次に、ＣＰＵ２９０は、断裁後の位置決めされた表紙用紙が載置されている角背成形部２６０を上昇させ、糊塗布された本身と接触させ糊付けするとともに、角背成形部２６０により本身の形状に沿って表紙用紙を折り曲げ、角背を形成する。これにより、本身が表紙用紙でくるまれ、冊子が作製される（ステップＳ１５７）。作製された冊子は、冊子収容部２８０に排出される（ステップＳ１５８）。
【００８４】
以上のように、本実施形態によれば、製本装置に操作部を設けたので、マニュアル製本の際にユーザが画像形成装置と製本装置との間を移動しなから操作を行う必要がなく、使い勝手が向上する。また、当該操作部は、数字キーや表示パネルを必要としない簡易なものであるので、コストアップを抑えることができる。
【００８５】
本実施形態では、表紙用紙は表紙給紙部２７０に収容されているものを用いたが、画像形成装置１００の給紙カセット１４２に収容されている表紙用紙を用いることも可能である。
【図面の簡単な説明】
【００８６】
【図１】本実施形態に係る画像形成システムのシステム構成図である。
【図２】本実施形態に係る画像形成システムの制御構成図である。
【図３】本実施形態に係る製本装置の操作表示部の概略図である。
【図４】本実施形態に係るマニュアル製本処理の制御フロー図である。
【図５】ステップ１５における製本処理の制御フロー図である。
【図６】ステップ１５５における表紙用紙の断裁処理の制御フロー図である。
【符号の説明】
【００８７】
１００  画像形成装置
１６５  ＥＥＰＲＯＭ
２００  製本装置
２４０  クランプ部
２４８  厚みセンサ
２６０  角背形成部
２７５  表紙断裁部
２９０  ＣＰＵ
２９２  ＲＯＭ
２９４  操作表示部
２９６  通信部
Ｓ１  本身用紙
Ｓ２  表紙用紙
【図１】
2008007268.tif 000004
【図２】
2008007268.tif 000005
【図３】
2008007268.tif 000006
【図４】
2008007268.tif 000007
【図５】
2008007268.tif 000008
【図６】
2008007268.tif 000009